(57)【要約】 【課題】画質の劣化と媒体が吸着する問題とが適切にトレードオフされる画像形成装置、及び、画像形成システムを実現することにある。【解決手段】媒体上の現像剤像を該媒体に定着するための定着部を有する画像形成装置であって、前記媒体上の電荷を取り除くための除電部であって、前記媒体の移動方向において前記定着部よりも下流側、かつ、前記媒体の移動路の、前記定着部から前記除電部までの長さが、前記画像形成装置において使用可能な前記媒体の最大長さよりも小さくなるような位置、に設けられている除電部と、前記除電部により取り除かれる電荷の量を制御するための制御部と、を備えたことを特徴とする。【選択図】      図５
2006195268.tif 000002
【特許請求の範囲】
【請求項１】
媒体上の現像剤像を該媒体に定着するための定着部を有する画像形成装置であって、
前記媒体上の電荷を取り除くための除電部であって、前記媒体の移動方向において前記定着部よりも下流側、かつ、前記媒体の移動路の、前記定着部から前記除電部までの長さが、前記画像形成装置において使用可能な前記媒体の最大長さよりも小さくなるような位置、に設けられている除電部と、
前記除電部により取り除かれる電荷の量を制御するための制御部と、を備えたことを特徴とする画像形成装置。
【請求項２】
請求項１に記載の画像形成装置において、
湿度を検出するための湿度センサを有し、
前記制御部は、前記湿度センサにより検出された湿度に基づいて、前記電荷の量を制御することを特徴とする画像形成装置。
【請求項３】
請求項１に記載の画像形成装置において、
前記媒体の表面電位を検出するための表面電位センサを有し、
前記制御部は、前記表面電位センサにより検出された表面電位に基づいて、前記電荷の量を制御することを特徴とする画像形成装置。
【請求項４】
請求項１に記載の画像形成装置において、
現像剤を有し、潜像を現像剤にて現像剤像として可視化するための現像装置を備え、
前記制御部は、該現像装置の使用量に基づいて、前記電荷の量を制御することを特徴とする画像形成装置。
【請求項５】
請求項１に記載の画像形成装置において、
前記制御部は、前記媒体の種類に基づいて、前記電荷の量を制御することを特徴とする画像形成装置。
【請求項６】
請求項１に記載の画像形成装置において、
前記制御部は、前記媒体に形成される画像の種類に基づいて、前記電荷の量を制御することを特徴とする画像形成装置。
【請求項７】
請求項１乃至請求項６のいずれかに記載の画像形成装置において、
前記除電部は、除電ブラシであり、
前記制御部は、該除電ブラシを接地させるか否かを切り替えるためのスイッチ、を有し、該スイッチを入れたり切ったりすることにより、前記電荷の量を制御することを特徴とする画像形成装置。
【請求項８】
請求項１乃至請求項７のいずれかに記載の画像形成装置において、
前記除電部は、除電ブラシであり、
前記制御部は、該除電ブラシを接地させるための接地線と該接地線に挿入された抵抗とを有し、該抵抗の抵抗値を変えることにより、前記電荷の量を制御することを特徴とする画像形成装置。
【請求項９】
請求項１乃至請求項８のいずれかに記載の画像形成装置において、
現像剤像を前記媒体に転写するための転写部であって、前記媒体の移動方向において前記定着部よりも上流側、かつ、前記媒体の移動路の、前記転写部から前記除電部までの長さが、前記画像形成装置において使用可能な前記媒体の最大長さよりも小さくなるような位置、に設けられている転写部、を有することを特徴とする画像形成装置。
【請求項１０】
請求項１乃至請求項９のいずれかに記載の画像形成装置において、
現像剤像を前記媒体に転写するための転写部と、
前記媒体の移動方向において前記除電部よりも下流側に設けられ、前記媒体の両面に画像を形成するために、前記媒体の移動方向を反転させて、該媒体を前記転写部に向けて移動させるための反転部と、を有し、
該反転部には、反転後の第一媒体と該第一媒体に後続する反転前の第二媒体とが摺擦しながら互いに逆方向に移動することを可能とする移動路、が設けられていることを特徴とする画像形成装置。
【請求項１１】
媒体上の現像剤像を該媒体に定着するための定着部を有する画像形成装置であって、
前記媒体上の電荷を取り除くための除電部であって、前記媒体の移動方向において前記定着部よりも下流側、かつ、前記媒体の移動路の、前記定着部から前記除電部までの長さが、前記画像形成装置において使用可能な前記媒体の最大長さよりも小さくなるような位置、に設けられている除電部と、
前記除電部により取り除かれる電荷の量を制御するための制御部と、を備え、
湿度を検出するための湿度センサを有し、前記制御部は、前記湿度センサにより検出された湿度に基づいて、前記電荷の量を制御し、
前記媒体の表面電位を検出するための表面電位センサを有し、前記制御部は、前記表面電位センサにより検出された表面電位に基づいて、前記電荷の量を制御し、
現像剤を有し、潜像を現像剤にて現像剤像として可視化するための現像装置を備え、前記制御部は、該現像装置の使用量に基づいて、前記電荷の量を制御し、
前記制御部は、前記媒体の種類に基づいて、前記電荷の量を制御し、
前記制御部は、前記媒体に形成される画像の種類に基づいて、前記電荷の量を制御し、
前記除電部は、除電ブラシであり、
前記制御部は、該除電ブラシを接地させるか否かを切り替えるためのスイッチ、を有し、該スイッチを入れたり切ったりすることにより、前記電荷の量を制御し、
前記制御部は、該除電ブラシを接地させるための接地線と該接地線に挿入された抵抗とを有し、該抵抗の抵抗値を変えることにより、前記電荷の量を制御し、
現像剤像を前記媒体に転写するための転写部であって、前記媒体の移動方向において前記定着部よりも上流側、かつ、前記媒体の移動路の、前記転写部から前記除電部までの長さが、前記画像形成装置において使用可能な前記媒体の最大長さよりも小さくなるような位置、に設けられている転写部、を有し、
前記媒体の移動方向において前記除電部よりも下流側に設けられ、前記媒体の両面に画像を形成するために、前記媒体の移動方向を反転させて、該媒体を前記転写部に向けて移動させるための反転部と、を有し、
該反転部には、反転後の第一媒体と該第一媒体に後続する反転前の第二媒体とが摺擦しながら互いに逆方向に移動することを可能とする移動路、が設けられていることを特徴とする画像形成装置。
【請求項１２】
コンピュータ、及び、
このコンピュータに接続可能な、媒体上の現像剤像を該媒体に定着するための定着部を有する画像形成装置であって、前記媒体上の電荷を取り除くための除電部であって、前記媒体の移動方向において前記定着部よりも下流側、かつ、前記媒体の移動路の、前記定着部から前記除電部までの長さが、前記画像形成装置において使用可能な前記媒体の最大長さよりも小さくなるような位置、に設けられている除電部と、前記除電部により取り除かれる電荷の量を制御するための制御部と、を備えた画像形成装置、
を備えたことを特徴とする画像形成システム。
【発明の詳細な説明】
【技術分野】
【０００１】
本発明は、画像形成装置、及び、画像形成システムに関する。
【背景技術】
【０００２】
レーザビームプリンタ等の画像形成装置は既によく知られている。かかる画像形成装置は、媒体上の現像剤像を該媒体に定着するための定着部を有している。
【０００３】
さらに、当該画像形成装置は、前記媒体の移動方向において前記定着部よりも下流側に、除電部を備えている。当該除電部は、転写プロセス等で帯電された媒体上の電荷を取り除く機能を有しており、当該電荷除去機能により、媒体が帯電している（電荷を蓄積している）ことにより当該媒体が吸着する問題（例えば、排紙トレイへ排出された複数の媒体が静電気により互いに吸着する不都合の発生）を防止する。
【０００４】
また、かかる画像形成装置の中には、画像形成装置の小型化や画像形成速度向上等のために、媒体の移動路の、定着部から除電部までの長さが、当該画像形成装置において使用可能な媒体の最大長さよりも小さくなっているものがある。したがって、このような画像形成装置においては、一枚の媒体に対して、定着部による現像剤像の媒体への定着と、除電部による媒体の除電とが同時に実行される場合がある。
【特許文献１】特開平５−６１１５号公報
【発明の開示】
【発明が解決しようとする課題】
【０００５】
ところで、媒体上の現像剤像を該媒体に定着する際に、ジェットマークという現象が生じ得ることが知られている。定着プロセスにおいて、当該現象が発生すると、最終的に得られる画像の画質が劣化することとなる。
【０００６】
また、当該ジェットマークの発生は、媒体の帯電量が少ない（媒体に電荷があまり蓄積されていない）場合に、顕著となる。特に、上述した画像形成装置においては、現像剤像の媒体への定着の際に、これと同時に当該媒体の除電が実行される場合があるため、ジェットマークの発生が顕著となる可能性が高くなる。したがって、当該画像形成装置においてジェットマークの発生を適切に抑止するためには、除電部により取り除かれる電荷の量があまり多くならないように、除電部を設計する必要がある。
【０００７】
しかしながら、このように除電部を設計した場合には、媒体が帯電している（電荷を蓄積している）ことにより当該媒体が吸着する前述した問題、を適切に解決できなくなる。このように、ジェットマークによる画質の劣化と媒体が帯電していることにより当該媒体が吸着する前述した問題の双方を同時に解決する除電部を設計することは難しく、したがって、当該画質の劣化と媒体が吸着する前述した問題とを適切にトレードオフするための手法が望まれる。
【０００８】
本発明は、かかる課題に鑑みてなされたものであり、その目的とするところは、画質の劣化と媒体が吸着する問題とが適切にトレードオフされる画像形成装置、及び、画像形成システムを実現することにある。
【課題を解決するための手段】
【０００９】
主たる本発明は、媒体上の現像剤像を該媒体に定着するための定着部を有する画像形成装置であって、前記媒体上の電荷を取り除くための除電部であって、前記媒体の移動方向において前記定着部よりも下流側、かつ、前記媒体の移動路の、前記定着部から前記除電部までの長さが、前記画像形成装置において使用可能な前記媒体の最大長さよりも小さくなるような位置、に設けられている除電部と、前記除電部により取り除かれる電荷の量を制御するための制御部と、を備えたことを特徴とする画像形成装置である。
【００１０】
本発明の他の特徴については、本明細書及び添付図面の記載により明らかにする。
【発明を実施するための最良の形態】
【００１１】
本明細書及び添付図面の記載により、少なくとも次のことが明らかにされる。
【００１２】
媒体上の現像剤像を該媒体に定着するための定着部を有する画像形成装置であって、前記媒体上の電荷を取り除くための除電部であって、前記媒体の移動方向において前記定着部よりも下流側、かつ、前記媒体の移動路の、前記定着部から前記除電部までの長さが、前記画像形成装置において使用可能な前記媒体の最大長さよりも小さくなるような位置、に設けられている除電部と、前記除電部により取り除かれる電荷の量を制御するための制御部と、を備えたことを特徴とする画像形成装置。  
かかる場合には、ジェットマークによる画質の劣化と媒体が帯電していることにより該媒体が吸着する問題とが適切にトレードオフされる画像形成装置が実現される。
【００１３】
また、湿度を検出するための湿度センサを有し、前記制御部は、前記湿度センサにより検出された湿度に基づいて、前記電荷の量を制御することとしてもよい。  
かかる場合には、湿度センサにより検出された湿度に基づいて、前記電荷の量が制御され、ジェットマークによる画質の劣化と媒体が帯電していることにより該媒体が吸着する問題とが適切にトレードオフされる。
【００１４】
また、前記媒体の表面電位を検出するための表面電位センサを有し、前記制御部は、前記表面電位センサにより検出された表面電位に基づいて、前記電荷の量を制御することとしてもよい。  
かかる場合には、表面電位センサにより検出された表面電位に基づいて、前記電荷の量が制御され、ジェットマークによる画質の劣化と媒体が帯電していることにより該媒体が吸着する問題とが適切にトレードオフされる。
【００１５】
また、現像剤を有し、潜像を現像剤にて現像剤像として可視化するための現像装置を備え、前記制御部は、該現像装置の使用量に基づいて、前記電荷の量を制御することとしてもよい。  
かかる場合には、現像装置の使用量に基づいて、前記電荷の量が制御され、ジェットマークによる画質の劣化と媒体が帯電していることにより該媒体が吸着する問題とが適切にトレードオフされる。
【００１６】
また、前記制御部は、前記媒体の種類に基づいて、前記電荷の量を制御することとしてもよい。  
かかる場合には、媒体の種類に基づいて、前記電荷の量が制御され、ジェットマークによる画質の劣化と媒体が帯電していることにより該媒体が吸着する問題とが適切にトレードオフされる。
【００１７】
また、前記制御部は、前記媒体に形成される画像の種類に基づいて、前記電荷の量を制御することとしてもよい。  
かかる場合には、媒体に形成される画像の種類に基づいて、前記電荷の量が制御され、ジェットマークによる画質の劣化と媒体が帯電していることにより該媒体が吸着する問題とが適切にトレードオフされる。
【００１８】
また、前記除電部は、除電ブラシであり、前記制御部は、該除電ブラシを接地させるか否かを切り替えるためのスイッチ、を有し、該スイッチを入れたり切ったりすることにより、前記電荷の量を制御することとしてもよい。また、前記制御部は、該除電ブラシを接地させるための接地線と該接地線に挿入された抵抗とを有し、該抵抗の抵抗値を変えることにより、前記電荷の量を制御することとしてもよい。  
かかる場合には、簡易な構成で、前記電荷の量を制御することができる。
【００１９】
また、現像剤像を前記媒体に転写するための転写部であって、前記媒体の移動方向において前記定着部よりも上流側、かつ、前記媒体の移動路の、前記転写部から前記除電部までの長さが、前記画像形成装置において使用可能な前記媒体の最大長さよりも小さくなるような位置、に設けられている転写部、を有することとしてもよい。  
かかる場合には、ジェットマークによる画質の劣化と媒体が帯電していることにより該媒体が吸着する問題とを適切にトレードオフすることのみならず、ジェットマークによる画質の劣化と放電痕による画質の劣化とを適切にトレードオフすることもできる。
【００２０】
また、現像剤像を前記媒体に転写するための転写部と、前記媒体の移動方向において前記除電部よりも下流側に設けられ、前記媒体の両面に画像を形成するために、前記媒体の移動方向を反転させて、該媒体を前記転写部に向けて移動させるための反転部と、を有し、該反転部には、反転後の第一媒体と該第一媒体に後続する反転前の第二媒体とが摺擦しながら互いに逆方向に移動することを可能とする移動路、が設けられていることとしてもよい。  
かかる場合には、ジェットマークによる画質の劣化と排紙トレイへ排出された複数の媒体が静電気により互いに吸着する不都合とを適切にトレードオフすることのみならず、ジェットマークによる画質の劣化と前記移動路を移動する複数の媒体が静電気により互いに吸着する不都合とを適切にトレードオフすることもできる。
【００２１】
また、媒体上の現像剤像を該媒体に定着するための定着部を有する画像形成装置であって、前記媒体上の電荷を取り除くための除電部であって、前記媒体の移動方向において前記定着部よりも下流側、かつ、前記媒体の移動路の、前記定着部から前記除電部までの長さが、前記画像形成装置において使用可能な前記媒体の最大長さよりも小さくなるような位置、に設けられている除電部と、前記除電部により取り除かれる電荷の量を制御するための制御部と、を備え、湿度を検出するための湿度センサを有し、前記制御部は、前記湿度センサにより検出された湿度に基づいて、前記電荷の量を制御し、前記媒体の表面電位を検出するための表面電位センサを有し、前記制御部は、前記表面電位センサにより検出された表面電位に基づいて、前記電荷の量を制御し、現像剤を有し、潜像を現像剤にて現像剤像として可視化するための現像装置を備え、前記制御部は、該現像装置の使用量に基づいて、前記電荷の量を制御し、前記制御部は、前記媒体の種類に基づいて、前記電荷の量を制御し、前記制御部は、前記媒体に形成される画像の種類に基づいて、前記電荷の量を制御し、前記除電部は、除電ブラシであり、前記制御部は、該除電ブラシを接地させるか否かを切り替えるためのスイッチ、を有し、該スイッチを入れたり切ったりすることにより、前記電荷の量を制御し、前記制御部は、該除電ブラシを接地させるための接地線と該接地線に挿入された抵抗とを有し、該抵抗の抵抗値を変えることにより、前記電荷の量を制御し、現像剤像を前記媒体に転写するための転写部であって、前記媒体の移動方向において前記定着部よりも上流側、かつ、前記媒体の移動路の、前記転写部から前記除電部までの長さが、前記画像形成装置において使用可能な前記媒体の最大長さよりも小さくなるような位置、に設けられている転写部、を有し、前記媒体の移動方向において前記除電部よりも下流側に設けられ、前記媒体の両面に画像を形成するために、前記媒体の移動方向を反転させて、該媒体を前記転写部に向けて移動させるための反転部と、を有し、該反転部には、反転後の第一媒体と該第一媒体に後続する反転前の第二媒体とが摺擦しながら互いに逆方向に移動することを可能とする移動路、が設けられていることを特徴とする画像形成装置も実現可能である。  
このようにすれば、既述の総ての効果を奏するため、本発明の目的がより有効に達成される。
【００２２】
また、コンピュータ、及び、このコンピュータに接続可能な、媒体上の現像剤像を該媒体に定着するための定着部を有する画像形成装置であって、前記媒体上の電荷を取り除くための除電部であって、前記媒体の移動方向において前記定着部よりも下流側、かつ、前記媒体の移動路の、前記定着部から前記除電部までの長さが、前記画像形成装置において使用可能な前記媒体の最大長さよりも小さくなるような位置、に設けられている除電部と、前記除電部により取り除かれる電荷の量を制御するための制御部と、を備えた画像形成装置、を備えたことを特徴とする画像形成システムも実現可能である。  
かかる場合には、ジェットマークによる画質の劣化と媒体が帯電していることにより該媒体が吸着する問題とが適切にトレードオフされる画像形成システムが実現される。
【００２３】
＝＝＝画像形成システムの全体構成例＝＝＝
先ず、図１及び図２を用いて、画像形成システム７００の概要について説明する。図１は、画像形成システム７００の外観構成を示した説明図である。図２は、図１に示した画像形成システム７００の構成の一部を示すブロック図である。この画像形成システム７００は、画像形成装置としてのレーザビームプリンタ（以下、プリンタともいう）１０と、当該プリンタ１０と電気的に接続可能なコンピュータ７０２と、を備えている。また、コンピュータ７０２は、ＣＲＴ（Cathode Ray Tube：陰極線管）、液晶表示装置、プラズマディスプレイ等の情報を表示するための表示装置７０４と、キーボード７０８Ａ、マウス７０８Ｂ等の入力装置７０８と、ＦＤ（フレキシブルディスク）ドライブ装置７１０Ａ、ＣＤ−ＲＯＭドライブ装置７１０Ｂ、ＭＯ（Magneto Optical）ディスクドライブ装置（不図示）、ＤＶＤ（Digital Versatile Disk）装置（不図示）等の読取装置７１０と、ＲＡＭ等の内部メモリ（不図示）と、ハードディスクドライブユニット等の外部メモリ（不図示）と、を備えている。また、コンピュータ７０２は、本実施形態ではミニタワー型の筐体に収納されているが、これに限られるものではない。
【００２４】
また、コンピュータ７０２は、オペレーティングシステム、当該オペレーティングシステムの下で動作するアプリケーションプログラム７９５、及び、プリンタドライバ７９６、を有している。プリンタドライバ７９６には、画像処理部７９７と、表示インターフェース部８０１と、入力インターフェース部８０３と、ユーザインターフェース処理部８０５と、が備えられている。
【００２５】
アプリケーションプログラム７９５は、プリンタ１０に画像形成を実施させるためのコンピュータ７０２上のプログラムである。アプリケーションプログラム７９５からの画像形成実行命令により、アプリケーションプログラム上の画像データＡＤが、各種制御信号ＣＯＭと共にプリンタドライバ７９６へ送られる。
【００２６】
画像処理部７９７は、アプリケーションプログラム７９５により解釈され得る前記画像データＡＤを受け取り、プリンタ１０により解釈され得る画像データＰＤに変換し、変換された画像データＰＤを、各種制御信号ＣＯＭと共にプリンタ１０に送出する機能を有している。すなわち、プリンタドライバ７９６の画像処理部７９７は、上述した画像処理を行った後に、プリンタ１０に対し、画像形成の実行を指示する。当該機能を実現するために、画像処理部７９７は、例えば、解像度の変換等の解像度に係る処理、ハーフトーン処理等の階調に係る処理、色成分の変換等を実施する。
【００２７】
表示インターフェース部８０１は、画像形成に関連する種々のユーザインターフェースウィンドウを表示装置７０４に表示する機能を有している。また、入力インターフェース部８０３は、ユーザが前記ユーザインターフェースウィンドウ上で入力装置７０８によって入力した入力情報、を受け取る機能を有している。
【００２８】
ユーザインターフェース処理部８０５は、表示インターフェース部８０１又は入力インターフェース部８０３と、プリンタ１０間のインターフェースを取る機能を有している。例えば、ユーザインターフェース処理部８０５は、入力インターフェース部８０３から前記入力情報を受け取って、当該入力情報を解釈する。そして、プリンタ１０や画像処理部７９７へ各種制御信号ＣＯＭを送出する。また、プリンタ１０から受け取った各種制御信号ＣＯＭを解釈して、表示インターフェース部８０１へ表示に係る情報を送出する。
【００２９】
なお、コンピュータ７０２が備えるプリンタドライバ７９６は、コンピュータ読み取り可能な記録媒体に記録された形態で供給される。このような記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読み取り可能な種々の媒体を利用できる。また、このようなコンピュータプログラムを、インターネットを介してコンピュータ７０２にダウンロードすることも可能である。
【００３０】
＝＝＝画像形成装置の全体構成例＝＝＝
次に、図３を用いて、画像形成装置の一例としてのプリンタ１０の全体構成例について説明する。図３は、プリンタ１０を構成する主要構成要素を示した図である。なお、図３には、矢印にて上下方向を示しており、例えば、給紙トレイ９２は、プリンタ１０の下部に配置されており、定着ユニット８６は、プリンタ１０の上部に配置されている。
【００３１】
本実施の形態に係るプリンタ１０は、図３に示すように、潜像を担持するための感光体２０の回転方向に沿って、帯電ユニット３０、露光ユニット４０、ＹＭＣＫ現像ユニット５０、一次転写ユニット６０、中間転写体６２、感光体クリーニングユニット８２を有し、さらに、転写部の一例としての二次転写ユニット８０、定着部の一例としての定着ユニット８６、除電部の一例としての除電ブラシ８８、操作パネル８９、及び、これらのユニット等を制御しプリンタとしての動作を司る制御ユニット１００を有している。
【００３２】
感光体２０は、円筒状の導電性基材とその外周面に形成された感光層を有し、中心軸を中心に回転可能であり、本実施の形態においては、図３中の矢印で示すように時計回りに回転する。
【００３３】
帯電ユニット３０は、感光体２０を帯電するための装置であり、露光ユニット４０は、レーザを照射することによって帯電された感光体２０上に潜像を形成する装置である。この露光ユニット４０は、半導体レーザ、ポリゴンミラー、Ｆ−θレンズ等を有しており、コンピュータ７０２から入力された画像信号に基づいて、変調されたレーザを帯電された感光体２０上に照射する。
【００３４】
ＹＭＣＫ現像ユニット５０は、感光体２０上に形成された潜像を、現像装置に収容された現像剤の一例としてのトナーＴ、すなわち、ブラック現像装置５１に収容されたブラック（Ｋ）トナー、マゼンタ現像装置５２に収容されたマゼンタ（Ｍ）トナー、シアン現像装置５３に収容されたシアン（Ｃ）トナー、及び、イエロー現像装置５４に収容されたイエロー（Ｙ）トナーを用いて現像するための装置である。
【００３５】
このＹＭＣＫ現像ユニット５０は、前記４つの現像装置５１、５２、５３、５４が装着された状態で回転することにより、前記４つの現像装置５１、５２、５３、５４の位置を動かすことを可能としている。すなわち、このＹＭＣＫ現像ユニット５０は、前記４つの現像装置５１、５２、５３、５４を４つの現像装置保持部５５ａ、５５ｂ、５５ｃ、５５ｄにより保持しており、前記４つの現像装置５１、５２、５３、５４は、中心軸５０ａを中心として、それらの相対位置を維持したまま回転可能となっている。そして、１ページ分の画像形成が終了する毎に選択的に感光体２０に対向し、それぞれの現像装置５１、５２、５３、５４に収容されたトナーＴにて、感光体２０上に形成された潜像を順次現像する（順次トナー像として可視化する）。なお、前述した４つの現像装置５１，５２，５３，５４の各々は、プリンタ本体、より具体的には、ＹＭＣＫ現像ユニット５０の前記現像装置保持部５５ａ、５５ｂ、５５ｃ、５５ｄ、に対して着脱可能となっている。
【００３６】
一次転写ユニット６０は、感光体２０に形成された単色トナー像を後述の中間転写体６２に転写するための装置であり、４色のトナーが順次重ねて転写されると、中間転写体６２にフルカラートナー像が形成される。  
この中間転写体６２は、ＰＥＴフィルムの表面にアルミ蒸着層を設けさらにその表層に半導電塗料を形成、積層したエンドレスのベルトであり、感光体２０とほぼ同じ周速度にて回転駆動される。  
二次転写ユニット８０は、中間転写体６２上に形成された単色トナー像やフルカラートナー像を紙、フィルム、布等の媒体に転写するための装置である。
【００３７】
定着ユニット８６は、媒体上の、現像剤像の一例としてのトナー像、を当該媒体に定着するための装置である。この定着ユニット８６は、内部にヒーターを有し、媒体上のトナー像を当該ヒーターにより加熱して媒体に融着させるための回転可能な定着ローラ８６ａと、当該定着ローラ８６ａに圧接して、記録媒体上のトナー像を加圧するための回転可能な加圧ローラ８６ｂと、を備えている。すなわち、当該定着ユニット８６は、媒体上に転写された単色トナー像やフルカラートナー像を、加熱加圧して媒体に融着させることにより、永久像とするものである。
【００３８】
除電ブラシ８８は、媒体上の電荷を取り除くためのものである。この除電ブラシ８８は、媒体の幅方向一端側から他端側に亘って該媒体に接触可能なブラシ状の接触部８８ａ（図５）を有しており、当該接触部８８ａが媒体に接触することにより、媒体上の電荷が取り除かれるようになっている。
【００３９】
給紙トレイ９２は、プリンタ１０の下部に設けられ、前記媒体を収納し、当該媒体を移動路の一例としての媒体移動路９３に供給する。  
また、プリンタ１０の上部には、媒体が排出される排紙トレイ９８が設けられ、給紙トレイ９２から排紙トレイ９８へと、媒体移動路９３が形成されている。また、当該媒体移動路９３には、媒体を搬送するための給紙ローラ９４、レジローラ９６、排紙ローラ９７が備えられ、前記二次転写ユニット８０は、媒体の移動方向において、前記レジローラ９６よりも下流側、かつ、前記定着ユニット８６よりも上流側、に設けられている。また、前記定着ユニット８６は、媒体の移動方向において、前記二次転写ユニット８０よりも下流側、かつ、前記除電ブラシ８８よりも上流側、に設けられており、さらに、前記除電ブラシ８８は、媒体の移動方向において、前記定着ユニット８６よりも下流側、かつ、前記排紙ローラ９７よりも上流側、に設けられている。
【００４０】
なお、本実施の形態に係るプリンタ１０においては、プリンタ１０の小型化や画像形成速度向上等のために、前記媒体移動路９３の、前記二次転写ユニット８０から前記除電ブラシ８８までの長さが、当該プリンタ１０において使用可能な媒体の最大長さよりも小さくなっている。例えば、プリンタ１０において使用可能な媒体のうち最大サイズの媒体がＡ３判の媒体である場合には、媒体移動路９３の、二次転写ユニット８０から除電ブラシ８８までの長さは、４２ｃｍよりも小さい。
【００４１】
感光体クリーニングユニット８２は、一次転写ユニット６０と帯電ユニット３０との間に設けられ、感光体２０の表面に当接されたゴム製の感光体クリーニングブレード８４を有し、一次転写ユニット６０によって中間転写体６２上にトナー像が転写された後に、感光体２０上に残存するトナーＴを感光体クリーニングブレード８４により掻き落として除去するための装置である。
【００４２】
操作パネル８９は、プリンタ１０の上部に設けられており、ユーザ等とのインターフェースとなる部分である。すなわち、操作パネル８９は、ユーザ等からの指示を受け付けるための指示受付部と、ユーザ等へ各種情報を与えるための液晶パネル等からなる情報出力部とを有している。
【００４３】
制御ユニット１００は、メインコントローラ１０１と、ユニットコントローラ１０２とで構成され（図４）、メインコントローラ１０１には画像データＰＤ及び制御信号ＣＯＭが入力され、画像データＰＤ及び制御信号ＣＯＭに基づく指令に応じてユニットコントローラ１０２が前記各ユニット等を制御して画像を形成する。
【００４４】
次に、このように構成されたプリンタ１０の動作について説明する。以下に説明されるプリンタ１０の各種動作は、主として、プリンタ１０内のメインコントローラ１０１又はユニットコントローラ１０２により実現される。特に、本実施の形態においては、プログラムＲＯＭに格納されたプログラムをＣＰＵが処理することにより実現される。そして、このプログラムは、以下に説明される各種の動作を行うためのコードから構成されている。
【００４５】
まず、コンピュータ７０２からの画像データＰＤ及び制御信号ＣＯＭがインターフェース（Ｉ／Ｆ）１１２を介してプリンタ１０のメインコントローラ１０１に入力されると、このメインコントローラ１０１からの指令に基づくユニットコントローラ１０２の制御により感光体２０、及び、中間転写体６２が回転する。感光体２０は、回転しながら、帯電位置において帯電ユニット３０により順次帯電される。
【００４６】
感光体２０の帯電された領域は、感光体２０の回転に伴って露光位置に至り、露光ユニット４０によって、第１色目、例えばイエローＹの画像情報に応じた潜像が該領域に形成される。また、ＹＭＣＫ現像ユニット５０は、イエロー（Ｙ）トナーを収容したイエロー現像装置５４を、感光体２０に対向した現像位置に位置させる。
【００４７】
感光体２０上に形成された潜像は、感光体２０の回転に伴って現像位置に至り、イエロー現像装置５４によってイエロートナーで現像される。これにより、感光体２０上にイエロートナー像が形成される。
【００４８】
感光体２０上に形成されたイエロートナー像は、感光体２０の回転に伴って一次転写位置に至り、一次転写ユニット６０によって、中間転写体６２に転写される。この際、感光体２０上の帯電トナーＴが中間転写体６２の方へ適切に向かうように、一次転写ユニット６０において、転写電界が形成される。なお、この間、感光体２０と中間転写体６２とは接触しており、また、二次転写ユニット８０は、中間転写体６２から離間している。
【００４９】
上記の処理が、第２色目、第３色目、及び、第４色目について、各々の現像装置毎に順次実行されることにより、各画像信号に対応した４色のトナー像が、中間転写体６２に重なり合って転写される。これにより、中間転写体６２上にはフルカラートナー像が形成される。
【００５０】
中間転写体６２上に形成されたフルカラートナー像は、中間転写体６２の回転に伴って二次転写位置に至り、二次転写ユニット８０によって媒体に転写される。なお、媒体は、給紙トレイ９２から、給紙ローラ９４、レジローラ９６を介して二次転写ユニット８０へ搬送される。また、転写動作を行う際、二次転写ユニット８０は中間転写体６２に押圧されるとともに、中間転写体６２上の帯電トナーＴが媒体の方へ適切に向かうように、二次転写ユニット８０において、転写電界が形成される。
【００５１】
媒体に転写されたフルカラートナー像は、定着ユニット８６によって加熱加圧されて媒体に融着される。  
そして、媒体は、除電ブラシ８８に接触してその電荷が取り除かれた後、排紙トレイ９８に排出される。
【００５２】
一方、感光体２０は一次転写位置を経過した後に、感光体クリーニングユニット８２に支持された感光体クリーニングブレード８４によって、その表面に付着しているトナーＴが掻き落とされ、次の潜像を形成するための帯電に備える。掻き落とされたトナーＴは、感光体クリーニングユニット８２が備える残存トナー回収部に回収される。
【００５３】
＝＝＝制御ユニットの概要＝＝＝
次に、制御ユニット１００の構成について図４及び図５を参照しつつ説明する。図４は、プリンタ１０の制御ユニット１００の構成を示したブロック図である。図５は、除電ブラシ制御回路１３２の構成を示した概略図である。
【００５４】
制御ユニット１００のメインコントローラ１０１は、インターフェース１１２を介してコンピュータ７０２と接続され、このコンピュータ７０２から入力された画像信号を記憶するための画像メモリ１１３を備えている。ユニットコントローラ１０２は、装置本体の各ユニット（帯電ユニット３０、露光ユニット４０、ＹＭＣＫ現像ユニット５０、一次転写ユニット６０、二次転写ユニット８０、感光体クリーニングユニット８２、定着ユニット８６、除電ブラシ８８、操作パネル８９）やセンサ９０と電気的に接続され、これらからの信号を受信することによって、各ユニット等の状態を検出しつつ、メインコントローラ１０１から入力される信号に基づいて、各ユニット等を制御する。
【００５５】
なお、露光ユニット４０に接続された露光ユニット制御回路１２２には  現像剤の消費量を検知するための画素カウンタ１２４が設けられており、露光ユニット４０に入力される画像データの画素数をカウントする。画素数とは、プリンタ１０の基本解像度単位の画素数、換言すれば、実際に印字する画像の画素数である。トナーＴの消費量は、画素数に比例するため、画素数をカウントすることにより、トナーＴの消費量を検知することができる。
【００５６】
また、除電ブラシ８８に接続された制御部の一例としての除電ブラシ制御回路１３２は、除電ブラシ８８により取り除かれる電荷の量を制御する。当該除電ブラシ制御回路１３２には、図５に示すように、除電ブラシ８８を接地させるための接地線１３８と、当該接地線１３８に挿入されているスイッチ１３４及び抵抗の一例としての可変抵抗器１３６と、が設けられている。スイッチ１３４は、除電ブラシ８８を接地させるか否かを切り替えるためのものであり、当該スイッチ１３４を入れたり切ったりすることにより、除電ブラシ８８により取り除かれる電荷の量が制御される。また、当該可変抵抗器１３６の抵抗値を変えることにより、除電ブラシ８８により取り除かれる電荷の量が制御される。
【００５７】
また、ユニットコントローラ１０２が備えるＣＰＵ１２０は、シリアルＥＥＰＲＯＭ等の不揮発性記憶素子（以下、本体側メモリ１４２とする）に接続されている。また、ＣＰＵ１２０には、本体側メモリ１４２のみならず、各現像装置５１、５２、５３、５４に設けられた現像装置側メモリ５１ａ、５２ａ、５３ａ、５４ａにもシリアルインターフェイス１４１を介して接続されており、本体側メモリ１４２及び現像装置側メモリ５１ａ、５２ａ、５３ａ、５４ａとの間でデータ転送可能となるとともに、入出力ポート１４３を介して各現像装置側メモリ５１ａ、５２ａ、５３ａ、５４ａにチップセレクト信号を入力可能となっている。
【００５８】
さらに、本体側メモリ１４２には、各種情報を格納するための格納領域が設けられている。例えば、当該格納領域には、現像装置５１、５２、５３、５４内のトナー残量に関する情報が、現像装置毎に格納されるようになっている。そして、格納領域に格納されている当該トナー残量に関する情報は、前記画素カウンタ１２４によりカウントされた画素数に基づいて求められたトナー消費量が当該情報に反映されて、随時更新されることとなる。
【００５９】
さらに、現像装置側メモリ５１ａ、５２ａ、５３ａ、５４ａにも、各種情報を格納するための格納領域が設けられており、当該格納領域には、現像装置５１、５２、５３、５４内のトナー残量に関する情報が格納されるようになっている。そして、現像装置５１、５２、５３、５４がプリンタ１０から取り外される際には、本体側メモリ１４２から現像装置側メモリ５１ａ、５２ａ、５３ａ、５４ａへトナー残量に関する情報が転送され、また、新規の現像装置１、５２、５３、５４がプリンタ１０に装着される際には、現像装置側メモリ５１ａ、５２ａ、５３ａ、５４ａから本体側メモリ１４２へトナー残量に関する情報が転送されるようになっている。
【００６０】
＝＝＝ジェットマーク発生のメカニズム＝＝＝
発明が解決しようとする課題の項で述べたとおり、媒体上のトナー像を該媒体に定着する際に、ジェットマークという現象が生じる。ここでは、このようなジェットマーク発生のメカニズムについて、図６及び図７を用いて説明する。図６は、媒体上にジェットマークが発生した様子を示した図である。図７は、媒体と、転写部（二次転写ユニット８０）、定着部（定着ユニット８６）、及び、除電部（除電ブラシ８８）との位置関係を示した模式図である。
【００６１】
前述したとおり、定着プロセスにおいては、媒体に転写されたトナー像が、定着ユニット８６により該媒体に定着される。そして、かかる際には、加圧ローラ８６ｂが定着ローラ８６ａに媒体を介して圧接した状態で、双方のローラが、回転しつつトナー像を加圧して媒体に定着する。ここで、媒体にトナー像が定着される際の、空気の流れ（気流）に着目すると、加圧ローラ８６ｂが定着ローラ８６ａに圧接する圧接部近傍において、当該圧接部近傍の空気が双方のローラにより噛み込まれる現象が生じ、双方のローラにより噛み込まれた空気は、急激に圧縮される。そして、圧縮された空気は、前記圧接部から逃げるように、媒体の移動方向下流側から上流側へ向けて、大きな流速で流れることとなる。そして、当該流れた空気が、媒体上のトナーを前記下流側から上流側へ向けて移動させる。このことにより、媒体上のトナー像が崩れ（ジェットマークの発生）、最終的な画像の画質に劣化が生ずることとなる。
【００６２】
図６に、媒体上にジェットマークが発生した様子を示す。図６に示されるように、ジェットマークは、媒体の移動方向下流側（媒体の先端側）から上流側（後端側）へ向けて尾を引くような状態で現れることが多い（したがって、ジェットマークは、後端尾引きとも呼ばれる）。このことから、ジェットマークは、線画（特に、媒体の移動方向に交差する線が多い線画）において、特に目立ち易く、一方で、自然画において目立ちにくいという性質を持つ。
【００６３】
次に、ジェットマークと媒体の帯電量との関連性について、図７を用いて考察する。発明が解決しようとする課題の項で述べたとおり、ジェットマークの発生は、媒体の帯電量が少ない（媒体に電荷があまり蓄積されていない）場合に、顕著となる。特に、トナー像の媒体への定着の際に、これと同時に当該媒体の除電が実行される場合には、ジェットマークの発生が顕著となる。ここでは、上記の原理について説明する。
【００６４】
前述したとおり、媒体Ｐが給紙トレイ９２から二次転写ユニット８０へ搬送されると（図７の状態Ａ）、中間転写体６２上に形成されたトナー像が、当該二次転写ユニット８０により媒体に転写される。かかる際には、中間転写体６２上の帯電トナーＴが媒体の方へ適切に向かうように、二次転写ユニット８０において、転写電界が形成される。そして、当該転写電界により、媒体が、トナーＴの帯電極性とは逆の極性に帯電することとなる（ここでは、トナーＴが負帯電トナーであり、媒体が正の極性に帯電することとする）。
【００６５】
媒体がさらに搬送されると、媒体に転写されたトナー像が、やがて、定着ユニット８６に到達し（図７の状態Ｂ）、定着ローラ８６ａ及び加圧ローラ８６ｂが、回転しつつトナー像を加圧して媒体に定着する。そして、かかる際には、前述したとおり、加圧ローラ８６ｂが定着ローラ８６ａに圧接する圧接部近傍において、当該圧接部近傍の空気が双方のローラにより噛み込まれる現象が生じ、双方のローラにより噛み込まれた空気は急激に圧縮され、圧縮された空気は、前記圧接部から逃げるように媒体の移動方向下流側から上流側へ向けて大きな流速で流れることとなる。しかしながら、図７の状態Ｂにおいては、媒体が除電ブラシ８８に未だ到達していないため、正の電荷が媒体上に十分蓄積されており、負帯電トナーと正の極性に帯電している媒体との間に発生するクーロン力が、負帯電トナーを媒体側に引き付けることにより、前記空気の流れによるトナーの移動を抑止する。したがって、かかる状態においては、ジェットマークが比較的発生しにくい傾向にある。
【００６６】
媒体がさらに搬送されると、媒体が、やがて、除電ブラシ８８に到達する（図７の状態Ｃ）。そして、媒体が除電ブラシ８８に接触して、媒体上の（正極性の）電荷が除電ブラシ８８により取り除かれた場合には、媒体の帯電量は少なくなるから、前述したクーロン力は弱くなる。一方、図７の状態Ｃにおいても、定着ユニット８６においては、トナー像の媒体への定着が行われており、当該定着ユニット８６において前述した空気の流れが発生する。そして、前記クーロン力が弱いため、空気の流れによるトナーの移動がより生じやすくなる。したがって、かかる状態においては、ジェットマークの発生が顕著となる。このように、ジェットマークの発生は、媒体が除電ブラシ８８に到達した後に、より顕著となるため、媒体の先端側よりも後端側でジェットマークが現れ易くなる。
【００６７】
＜＜＜ジェットマークの発生を促進する要因について＞＞＞
上記において、ジェットマークの発生は、媒体の帯電量が少ない（媒体に電荷があまり蓄積されていない）場合に顕著となることについて説明した。ここでは、ジェットマークの発生を促進する他の要因について説明する。
【００６８】
[１．湿度が高い場合]
媒体は導電性を有するが、湿度が高い場合には媒体の含水率が増加することにより媒体の抵抗値が低くなる。したがって、媒体に電流が流れ易くなるため、媒体上の電荷が除電ブラシ８８へ移動しやすくなる。そのため、図７の状態Ｃにおいて、媒体上の電荷が除電ブラシ８８によって取り除かれ易くなるため、ジェットマークの発生がより顕著となる。
【００６９】
[２．現像装置の使用量が少ない場合]
現像装置の使用量が少ないとき（現像装置を使用し始めて間もないとき等）には、現像装置内のトナーの量が多く、トナー搬送量が大きくなる傾向にある。そして、トナー搬送量が大きい場合には、トナーを帯電するための規制ブレードへ到達するトナーの量が多くなるため、規制ブレードに適切に摺擦できないトナーが増加する。したがって、現像装置の使用量が少ないときには、トナーの帯電量が小さくなる傾向にある。  
そして、トナーの帯電量が小さい場合には、トナーと媒体との間に発生する前述したクーロン力が弱くなるため、空気の流れによるトナーの移動がより生じやすくなる。したがって、かかる場合には、ジェットマークの発生が顕著となる。
【００７０】
[３．媒体の表面が粗い場合]
媒体の表面が粗い場合には、当該表面に微小な溝が多数存在する。そして、当該溝は、前述した空気の流れをガイドする役割を果たすため、当該溝内で大きな空気の流れが発生する。したがって、媒体の表面が粗い場合には、媒体の表面が滑らかである場合よりも、ジェットマークの発生が顕著となる。
【００７１】
以上、ジェットマークの発生を促進する幾つかの要因について説明したが、当該要因はこれらに限定されるものではない。他の例としては、「定着ユニット８６に設けられている定着ローラ８６ａや加圧ローラ８６ｂの回転速度が速い場合」を、挙げることができる。
【００７２】
＝＝＝除電部により取り除かれる電荷の量の制御例について＝＝＝
制御ユニットの概要の項で説明したとおり、本実施の形態に係るプリンタ１０は、除電ブラシ８８により取り除かれる電荷の量を制御するための制御部（除電ブラシ制御回路１３２）を備えている。ここでは、当該制御部（除電ブラシ制御回路１３２）による前記電荷の量の制御について、幾つかの例を挙げて説明する。
【００７３】
＜＜＜第一制御例＞＞＞
ここでは、プリンタ１０内に、前述したセンサ９０（図４）として湿度センサを設け、当該湿度センサにより検出された湿度に基づいて、前記電荷の量を制御する例について説明する。前述したとおり、湿度が高い場合には、ジェットマークの発生がより顕著となる。したがって、当該第一制御例においては、湿度が高い場合には、ジェットマークの発生を抑止することを重視して、除電部により取り除かれる電荷の量を少なくする制御が実行され、一方、湿度が低い場合には、排紙トレイ９８へ排出された複数の媒体が静電気により互いに吸着する不都合の発生等を抑止することを重視して、除電部により取り除かれる電荷の量を多くする制御が実行される。以下、図８に示すフローチャートを用いて、具体的に説明する。
【００７４】
このフローチャートは、プリンタ１０が、コンピュータ７０２から、画像を形成する旨の指令を含む制御信号ＣＯＭを画像データＰＤと共に受け取ることから始まる（ステップＳ２）。当該指令がコンピュータ７０２のメインコントローラ１０１で受け取られると、このメインコントローラ１０１からの指令に応じて、ユニットコントローラ１０２が、湿度センサを制御して、湿度センサが検出した湿度を当該湿度センサから取得する（ステップＳ４）。
【００７５】
そして、ユニットコントローラ１０２内の除電ブラシ制御回路１３２は、取得された湿度に基づいて、除電ブラシ制御回路１３２内のスイッチ１３４及び可変抵抗器１３６のうちの少なくともどちらか一方を制御する（ステップＳ６）。すなわち、図８に示されるように、湿度が低かった場合（例えば、４０％未満であった場合）には、スイッチ１３４を切ることなく可変抵抗器の値をＲ１に設定し（ステップＳ８）、湿度が中程度であった場合（例えば、４０％以上８０％未満であった場合）には、可変抵抗器の値をより高いＲ２（＞Ｒ１）に設定する（ステップＳ１０）さらに、湿度が高かった場合（例えば、８０％以上であった場合）には、スイッチ１３４を切る制御を実行する（ステップＳ１２）。このように、除電ブラシ制御回路１３２は、湿度が高いほど、除電部により取り除かれる電荷の量が少なくなるように、スイッチ１３４、可変抵抗器１３６を制御する。
【００７６】
＜＜＜第二制御例＞＞＞
ここでは、プリンタ１０内に、前述したセンサ９０（図４）として媒体の表面電位を検出するための表面電位センサを設け、当該表面電位センサにより検出された表面電位に基づいて、前記電荷の量を制御する例について説明する。前述したとおり、媒体の表面電位が低い場合（すなわち、媒体の帯電量が少ない場合）には、ジェットマークの発生がより顕著となる。したがって、当該第二制御例においては、媒体の表面電位が低い場合には、ジェットマークの発生を抑止することを重視して、除電部により取り除かれる電荷の量が少なくなるように制御が実行され、一方、媒体の表面電位が高い場合には、排紙トレイ９８へ排出された複数の媒体が静電気により互いに吸着する不都合の発生等を抑止することを重視して、除電部により取り除かれる電荷の量が多くなるように制御が実行される。以下、図９に示すフローチャートを用いて、具体的に説明する。
【００７７】
このフローチャートは、プリンタ１０が、コンピュータ７０２から、画像を形成する旨の指令を含む制御信号ＣＯＭを画像データＰＤと共に受け取ることから始まる（ステップＳ１０２）。当該指令がコンピュータ７０２のメインコントローラ１０１で受け取られると、このメインコントローラ１０１からの指令に応じて、ユニットコントローラ１０２が、プリンタ１０の各ユニットを制御して、画像形成を実行する。そして、本例においては、表面電位センサが定着ユニット８６と除電ブラシ８８との間に設けられ、当該画像形成の実行の際に、媒体と、二次転写ユニット８０、定着ユニット８６、及び、除電ブラシ８８との位置関係が図７Ｂに示す状態（媒体が除電ブラシ８８に到達する直前の状態）となったときに、ユニットコントローラ１０２が、表面電位センサを制御して、表面電位センサが検出した媒体の表面電位を当該表面電位センサから取得する（ステップＳ１０４）。
【００７８】
そして、ユニットコントローラ１０２内の除電ブラシ制御回路１３２は、取得された表面電位に基づいて、除電ブラシ制御回路１３２内のスイッチ１３４及び可変抵抗器１３６のうちの少なくともどちらか一方を制御する（ステップＳ１０６）。すなわち、図９に示されるように、表面電位が高かった場合には、スイッチ１３４を切ることなく可変抵抗器の値をＲ１に設定し（ステップＳ１０８）、表面電位が中程度であった場合には、可変抵抗器の値をより高いＲ２（＞Ｒ１）に設定する（ステップＳ１１０）。さらに、表面電位が低かった場合には、スイッチ１３４を切る制御を実行する（ステップＳ１１２）。このように、除電ブラシ制御回路１３２は、表面電位が低いほど、除電部により取り除かれる電荷の量が少なくなるように、スイッチ１３４、可変抵抗器１３６を制御する。
【００７９】
＜＜＜第三制御例＞＞＞
ここでは、現像装置の使用量に基づいて、前記電荷の量を制御する例について説明する。前述したとおり、現像装置の使用量が少ないときには、ジェットマークの発生がより顕著となる。したがって、当該第三制御例においては、現像装置の使用量が少ない場合には、ジェットマークの発生を抑止することを重視して、除電部により取り除かれる電荷の量を少なくする制御が実行され、一方、現像装置の使用量が多い場合には、排紙トレイ９８へ排出された複数の媒体が静電気により互いに吸着する不都合の発生等を抑止することを重視して、除電部により取り除かれる電荷の量を多くする制御が実行される。以下、図１０に示すフローチャートを用いて、具体的に説明する。
【００８０】
このフローチャートは、プリンタ１０が、コンピュータ７０２から、画像を形成する旨の指令を含む制御信号ＣＯＭを画像データＰＤと共に受け取ることから始まる（ステップＳ２０２）。当該指令がコンピュータ７０２のメインコントローラ１０１で受け取られると、このメインコントローラ１０１からの指令に応じて、ユニットコントローラ１０２は、前述した本体側メモリ１４２内の、トナー残量情報が格納されている格納領域、から、現像装置毎にトナー残量を取得する（ステップＳ２０４）。
【００８１】
そして、ユニットコントローラ１０２内の除電ブラシ制御回路１３２は、取得されたトナー残量に基づいて、除電ブラシ制御回路１３２内のスイッチ１３４及び可変抵抗器１３６のうちの少なくともどちらか一方を制御する（ステップＳ２０６）。すなわち、図１０に示されるように、トナー残量が少なかった場合（現像装置の使用量が多かった場合）、例えば、４つの現像装置５１、５２、５３、５４のトナー残存率（トナー残量をトナー未使用時のトナー量で割った値）の平均値が４０％未満であった場合には、スイッチ１３４を切ることなく可変抵抗器の値をＲ１に設定し（ステップＳ２０８）、トナー残量が中程度であった場合（現像装置の使用量が中程度であった場合）、例えば、４つの現像装置５１、５２、５３、５４のトナー残存率の平均値が４０％以上８０％未満であった場合には、可変抵抗器の値をより高いＲ２（＞Ｒ１）に設定する（ステップＳ２１０）。さらに、トナー残量が多かった場合（現像装置の使用量が少なかった場合）、例えば、４つの現像装置５１、５２、５３、５４のトナー残存率の平均値が８０％以上であった場合には、スイッチ１３４を切る制御を実行する（ステップＳ２１２）。このように、除電ブラシ制御回路１３２は、現像装置の使用量が少ないほど、除電部により取り除かれる電荷の量が少なくなるように、スイッチ１３４、可変抵抗器１３６を制御する。
【００８２】
なお、上記においては、現像装置の使用量を示す指標として、トナー残量を用いたが、これに限定されるものではなく、例えば、トナー消費量を当該指標として用いてもよいし、現像装置に設けられている現像ローラやアジテータ（攪拌部材）の累積回転数を当該指標として用いてもよい。
【００８３】
＜＜＜第四制御例＞＞＞
ここでは、媒体の種類に基づいて、前記電荷の量を制御する例について説明する。前述したとおり、媒体の表面が粗い場合には、ジェットマークの発生がより顕著となる。したがって、当該第四制御例においては、表面が粗い媒体に画像が形成される場合には、ジェットマークの発生を抑止することを重視して、除電部により取り除かれる電荷の量を少なくする制御が実行され、一方、表面が滑らかである媒体に画像が形成される場合には、排紙トレイ９８へ排出された複数の媒体が静電気により互いに吸着する不都合の発生等を抑止することを重視して、除電部により取り除かれる電荷の量を多くする制御が実行される。以下、図１１に示すフローチャートを用いて、具体的に説明する。
【００８４】
このフローチャートは、プリンタ１０が、コンピュータ７０２から、画像を形成する旨の指令を含む制御信号ＣＯＭを画像データＰＤと共に受け取ることから始まる（ステップＳ３０２）。当該指令がコンピュータ７０２のメインコントローラ１０１で受け取られると、このメインコントローラ１０１からの指令に応じて、ユニットコントローラ１０２内の除電ブラシ制御回路１３２は、媒体の種類に基づいて、除電ブラシ制御回路１３２内のスイッチ１３４及び可変抵抗器１３６のうちの少なくともどちらか一方を制御する（ステップＳ３０６）。
【００８５】
ここで、前記媒体の種類を示す情報は、前記制御信号ＣＯＭに含まれており、コンピュータ７０２側、より具体的には、前述したプリンタドライバ７９６、から送られてくる。すなわち、ユーザは、ユーザインターフェースウィンドウ上で、媒体の種類（例えば、上質紙、普通紙、再生紙）を選択することができるようになっており、選択された媒体の種類を示す情報が、前記入力インターフェース部８０３で受け取られた後、ユーザインターフェース処理部８０５を介してプリンタ１０へ送られる。
【００８６】
除電ブラシ制御回路１３２による具体的な制御例は、以下のようになる。すなわち、図１１に示されるように、媒体の表面が滑らかである場合（例えば、媒体の種類を示す情報が、上質紙を示している場合）には、スイッチ１３４を切ることなく可変抵抗器の値をＲ１に設定し（ステップＳ３０８）、媒体の表面粗さが中程度である場合（例えば、媒体の種類を示す情報が、普通紙を示している場合）には、可変抵抗器の値をより高いＲ２（＞Ｒ１）に設定する（ステップＳ３１０）。さらに、媒体の表面が粗い場合（例えば、媒体の種類を示す情報が、再生紙を示している場合）には、スイッチ１３４を切る制御を実行する（ステップＳ３１２）。このように、除電ブラシ制御回路１３２は、媒体の表面が粗いほど、除電部により取り除かれる電荷の量が少なくなるように、スイッチ１３４、可変抵抗器１３６を制御する。
【００８７】
なお、上記においては、ユーザにより選択された媒体の種類を示す情報が、プリンタドライバ７９６から送られることとしたが、これに限定されるものではなく、例えば、操作パネル８９から送られることとしてもよい。
【００８８】
また、上記においては、媒体の種類（粗さ）を、ユーザにより選択された選択情報に基づいて判断することとしたが、これに限定されるものではなく、例えば、媒体の粗さをセンサで測定し、この測定結果に基づいて媒体の種類（粗さ）を判断することとしてもよい。
【００８９】
＜＜＜第五制御例＞＞＞
ここでは、媒体に形成される画像の種類に基づいて、前記電荷の量を制御する例について説明する。前述したとおり、ジェットマークは、線画において特に目立ち易く、一方で、自然画において目立ちにくいという性質を持つ。したがって、当該第五制御例においては、画像が線画である場合には、ジェットマークの発生を抑止することを重視して、除電部により取り除かれる電荷の量を少なくする制御が実行され、一方、画像が自然画である場合には、排紙トレイ９８へ排出された複数の媒体が静電気により互いに吸着する不都合の発生等を抑止することを重視して、除電部により取り除かれる電荷の量を多くする制御が実行される。以下、図１２に示すフローチャートを用いて、具体的に説明する。
【００９０】
このフローチャートは、プリンタ１０が、コンピュータ７０２から、画像を形成する旨の指令を含む制御信号ＣＯＭを画像データＰＤと共に受け取ることから始まる（ステップＳ４０２）。当該指令がコンピュータ７０２のメインコントローラ１０１で受け取られると、このメインコントローラ１０１からの指令に応じて、ユニットコントローラ１０２内の除電ブラシ制御回路１３２は、画像の種類に基づいて、除電ブラシ制御回路１３２内のスイッチ１３４及び可変抵抗器１３６のうちの少なくともどちらか一方を制御する（ステップＳ４０６）。
【００９１】
ここで、前記画像の種類を示す情報は、前記制御信号ＣＯＭに含まれており、コンピュータ７０２側、より具体的には、前述したプリンタドライバ７９６、から送られてくる。すなわち、ユーザは、ユーザインターフェースウィンドウ上で、画像の種類、例えば、線画（「ワープロ」等の文字により示されていることもある）、自然画（「グラフィック」等の文字により示されていることもある）を選択することができるようになっており、選択された画像の種類を示す情報が、前記入力インターフェース部８０３で受け取られた後、ユーザインターフェース処理部８０５を介してプリンタ１０へ送られる。
【００９２】
除電ブラシ制御回路１３２による具体的な制御例は、以下のようになる。すなわち、図１２に示されるように、画像の種類を示す情報が自然画を示している場合には、スイッチ１３４を切ることなく可変抵抗器の値をＲ１に設定し（ステップＳ４０８）、画像の種類を示す情報が自然画及び線画のいずれも示していない場合（例えば、画像の種類を示す情報が、デフォルトである通常を示している場合）には、可変抵抗器の値をより高いＲ２（＞Ｒ１）に設定する（ステップＳ４１０）。さらに、画像の種類を示す情報が線画を示している場合には、スイッチ１３４を切る制御を実行する（ステップＳ４１２）。
【００９３】
なお、上記においては、ユーザにより選択された画像の種類を示す情報が、プリンタドライバ７９６から送られることとしたが、これに限定されるものではなく、例えば、操作パネル８９から送られることとしてもよい。
【００９４】
また、上記においては、画像が自然画であるか線画であるかを、ユーザにより選択された選択情報に基づいて判断することとしたが、これに限定されるものではない。例えば、画像が作成されたアプリケーションプログラム７９５（ワープロソフトやグラフィックソフト）を示す情報（例えば、ファイルの拡張子等）に基づいて、画像が自然画であるか線画であるかを判断することとしてもよい。また、前述した画像データＰＤに基づいて、画像が自然画であるか線画であるかを判断することとしてもよい。かかる方策としては、例えば、画像データＰＤに基づいて決定された、露光ユニット４０における画素毎のレーザ強度、を分析することにより、画像が自然画であるか線画であるかを判断する手法が挙げられる（１００％デューティーであるレーザ強度が多く存在する場合には、画像は線画であり、中間デューティーであるレーザ強度が多く存在する場合には、画像は自然画である、と判断することができる）。
【００９５】
さらに、上記においては、媒体に形成される画像の種類に基づいて除電ブラシ８８により取り除かれる電荷の量を制御する方策のうち、画像が自然画であるか線画であるかに基づいて前記電荷の量を制御する例について説明したが、これに限定されるものではない。例えば、媒体に形成される画像が階調優先モードにより形成される画像か解像度優先モードにより形成される画像かに基づいて、前記電荷の量を制御することとしてもよい。媒体に形成される画像が自然画である場合には、階調優先モードが選択される可能性が高く、媒体に形成される画像が線画である場合には、解像度優先モードが選択される可能性が高いため、かかる方策によれば、画像が自然画であるか線画であるかに基づいて前記電荷の量を制御する方策と同様の効果が得られることとなる。
【００９６】
上記において、五つの制御例について説明したが、いずれの場合においても、ジェットマークが発生しやすい状況又は目立ちやすい状況において、ジェットマークの発生を抑止することを重視して、除電部により取り除かれる電荷の量を少なくする制御が制御部（除電ブラシ制御回路１３２）により実行され、一方、ジェットマークが発生しにくい状況又は目立ちにくい状況において、媒体が帯電していることにより該媒体が吸着する問題（排紙トレイ９８へ排出された複数の媒体が静電気により互いに吸着する不都合の発生等）を抑止することを重視して、除電部により取り除かれる電荷の量を多くする制御が制御部（除電ブラシ制御回路１３２）により実行される。このように、本実施の形態に係るプリンタ１０は、除電ブラシ８８により取り除かれる電荷の量を制御するための制御部（除電ブラシ制御回路１３２）を備えているから、ジェットマークによる画質の劣化と媒体が帯電していることにより該媒体が吸着する問題とを適切にトレードオフすることができる。
【００９７】
さらに、第一制御例について考察すると、媒体が吸着する現象は湿度が低くなるほど生じ易くなるから、ジェットマークの発生を抑止することの方をより重視して除電部により取り除かれる電荷の量を少なくする制御が実行される状況（すなわち、湿度が高い状況）においては、媒体が吸着する現象が生じにくくなる。したがって、第一制御例においては、前記トレードオフがより適切なものとなる。
【００９８】
また、上記においては、いずれの制御例においても、三種類の制御（第一制御例においては、ステップＳ８、ステップＳ１０、ステップＳ１２に係る制御）が実行されることとしたが、これに限定されるものでない。二種類の制御が実行されることとしてもよいし、四種類以上の制御が実行されることとしてもよい。
【００９９】
また、上記においては、いずれの制御例においても、プリンタ１０が、コンピュータ７０２から、画像を形成する旨の指令を含む制御信号ＣＯＭを画像データＰＤと共に受け取ることを契機として、制御が開始されることとしたが、これに限定されるものではない。例えば、プリンタ１０にタイマーが備えられており、所定の時間が経過する毎に、前記制御が実行されるようにしてもよい。
【０１００】
また、除電ブラシ８８により取り除かれる電荷の量の制御を、上述した五つの制御例の二以上を組み合わせたものとしてもよい。例えば、湿度と媒体に形成される画像の種類の双方に基づいて、前記電荷の量を制御するようにしてもよい。
【０１０１】
また、上記においては、前記電荷の量の制御として、五つの制御を例に挙げて説明したが、これに限定されるものではない。例えば、定着ユニット８６に設けられている定着ローラ８６ａや加圧ローラ８６ｂの回転速度に基づいて、前記電荷の量を制御するようにしてもよい。
【０１０２】
＝＝＝媒体が吸着する問題に係る他の例について＝＝＝
上述したとおり、本実施の形態に係るプリンタ１０においては、ジェットマークによる画質の劣化と媒体が帯電していることにより該媒体が吸着する問題とが適切にトレードオフされる。そして、上記においては、媒体が吸着する問題の一例として、排紙トレイ９８へ排出された複数の媒体が静電気により互いに吸着する不都合が発生することを挙げた。本項においては、媒体が吸着する問題に係る他の例について、図１３を用いて説明する。
【０１０３】
図１３は、媒体の両面に画像を形成する機能を有するプリンタ１０の反転部２０２を示したものである。反転部２０２は、媒体の移動方向において前記除電ブラシ８８よりも下流側に設けられ（図１３において、除電ブラシ８８は示されていないが、定着ユニット８６と後述する搬送駆動ローラ２０４との間に設けられている）、媒体の両面に画像を形成するために、媒体の移動方向を反転させて、媒体を転写部（二次転写ユニット等）に向けて移動させる。この反転部２０２は、図１３に示すように、反転後の第一媒体Ｐ１と該第一媒体Ｐ１に後続する反転前の第二媒体Ｐ２とが摺擦しながら互いに逆方向に移動することを可能とする移動路の一例としての複数媒体移動可能路２０８を備えている。
【０１０４】
すなわち、第一媒体Ｐ１が、搬送駆動ローラ２０４により複数媒体移動可能路２０８へ向けて送られると、当該第一媒体Ｐ１の先端がレバー２１０を押し上げて当該第一媒体Ｐ１が複数媒体移動可能路２０８へ進入する。そして、第一媒体Ｐ１が、当該複数媒体移動可能路２０８内を移動すると、やがて反転ローラ２０６に達することとなり、第一媒体Ｐ１のさらなる移動により、第一媒体Ｐ１の後端がレバー２１０を越えると、反転ローラ２０６が逆回転して第一媒体Ｐ１の移動方向が反転し、反転後の第一媒体Ｐ１は転写部へ向かって移動する。一方、第一媒体Ｐ１に後続する第二媒体Ｐ２は、反転後の第一媒体Ｐ１の一部が複数媒体移動可能路２０８に位置しているときに、複数媒体移動可能路２０８へ進入する。そして、複数媒体移動可能路２０８において、反転後の第一媒体Ｐ１と該第一媒体Ｐ１に後続する反転前の第二媒体Ｐ２とが摺擦しながら互いに逆方向に移動することとなる。
【０１０５】
このようなプリンタ１０においては、媒体の帯電量が多い状況にて、排紙トレイ９８へ排出された複数の媒体が静電気により互いに吸着する不都合だけでなく、複数媒体移動可能路２０８を移動する複数の媒体が静電気により互いに吸着する不都合も、生じ得る。したがって、プリンタ１０が、複数媒体移動可能路２０８を有する反転部２０２、を備えている場合には、除電ブラシ８８により取り除かれる電荷の量を制御することにより、ジェットマークによる画質の劣化と排紙トレイ９８へ排出された複数の媒体が静電気により互いに吸着する不都合とを適切にトレードオフすることのみならず、ジェットマークによる画質の劣化と複数媒体移動可能路２０８を移動する複数の媒体が静電気により互いに吸着する不都合とを適切にトレードオフすることもできる点で、より効果的である。
【０１０６】
＝＝＝その他の実施の形態＝＝＝
以上、上記実施の形態に基づき本発明に係る画像形成装置等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【０１０７】
上記実施の形態においては、画像形成装置として中間転写型のフルカラーレーザビームプリンタを例にとって説明したが、本発明は、中間転写型以外のフルカラーレーザビームプリンタ、モノクロレーザビームプリンタ、複写機、ファクシミリなど、各種の画像形成装置に適用可能である。
【０１０８】
また、上記実施の形態においては、制御部（除電ブラシ制御回路１３２）に、除電ブラシ８８を接地させるか否かを切り替えるためのスイッチ１３４と除電ブラシ８８を接地させるための接地線１３８に挿入された抵抗とが設けられており、スイッチ１３４を入れたり切ったりすることにより、また、抵抗の抵抗値を変えることにより、除電ブラシ８８により取り除かれる電荷の量を制御することとしたが、当該電荷の量の制御は、スイッチ１３４や抵抗による制御に限定されるものではない。
【０１０９】
また、上記実施の形態においては、スイッチ１３４と抵抗とを組み合わせて、前記電荷の量の制御を行うこととしたが、これに限定されるものではなく、スイッチ１３４のみにより、又は、抵抗のみにより、制御を行うこととしてもよい。
【０１１０】
また、上記実施の形態においては、抵抗として可変抵抗器１３６を例に挙げて説明したが、これに限定されるものではない。例えば、抵抗値の異なる複数の固定抵抗をスイッチで切り替えることにより、前記電荷の量を制御するようにしてもよい。
【０１１１】
また、上記実施の形態においては、トナー像を媒体に転写するための二次転写ユニット８０であって、媒体の移動方向において定着ユニット８６よりも上流側、かつ、媒体移動路９３の、二次転写ユニット８０から除電ブラシ８８までの長さが、プリンタ１０において使用可能な媒体の最大長さよりも小さくなるような位置、に設けられている二次転写ユニット８０、を有することとしたが、これに限定されるものではない。すなわち、上記実施の形態においては、媒体移動路９３の、定着ユニット８６から除電ブラシ８８までの長さのみならず二次転写ユニット８０から除電ブラシ８８までの長さも、プリンタ１０において使用可能な媒体の最大長さよりも小さいこと（以下、本件例と呼ぶ）としたが、これに限定されるものではなく、例えば、媒体移動路９３の、定着ユニット８６から除電ブラシ８８までの長さは、前記最大長さよりも小さい一方で、媒体移動路９３の、二次転写ユニット８０から除電ブラシ８８までの長さは、前記最大長さよりも大きいこと（以下、比較例と呼ぶ）としてもよい。
【０１１２】
ところで、二次転写ユニット８０により転写が実行された結果、媒体の帯電量が高くなる（媒体に多くの電荷が蓄積される）と、二次転写ユニット８０と媒体との間で放電現象が発生することがある。当該放電現象が発生すると、媒体上のトナーが飛散して、媒体上にうろこ状の放電痕（通称：ウロコ）が現れる（図１４に、媒体上に放電痕が現れた様子を示す）。そして、かかる場合には、最終的に得られる画像の画質が劣化することとなる。
【０１１３】
ここで、本件例と比較例とを比較考察すると、本件例においては、二次転写ユニット８０から除電ブラシ８８までの媒体移動路９３の長さが前記最大長さよりも小さいため、図７Ｃに示したように、媒体が除電ブラシ８８に接触した状態で、二次転写ユニット８０による転写が実行され得る。一方、比較例においては、二次転写ユニット８０から除電ブラシ８８までの媒体移動路９３の長さが前記最大長さよりも大きいため、媒体が除電ブラシ８８に接触した状態で、二次転写ユニット８０による転写が実行され得ない。
【０１１４】
したがって、本件例の場合には、比較例とは異なり、除電ブラシ８８により取り除かれる電荷の量を制御することにより、ジェットマークによる画質の劣化と媒体が帯電していることにより該媒体が吸着する問題とを適切にトレードオフすることのみならず、ジェットマークによる画質の劣化と放電痕による画質の劣化とを適切にトレードオフすることもできる。この点で、本件例は、比較例に比べて、より効果的である。当該制御としては、例えば、ジェットマークが発生しやすい状況又は目立ちやすい状況において、ジェットマークの発生を抑止することを重視して、除電部により取り除かれる電荷の量を少なくする制御が実行され、一方、ジェットマークが発生しにくい状況又は目立ちにくい状況において、媒体が帯電していることにより該媒体が吸着する問題と放電痕の発生を抑止することを重視して、除電部により取り除かれる電荷の量を多くする制御が実行される。
【図面の簡単な説明】
【０１１５】
【図１】画像形成システム７００の外観構成を示した説明図である。
【図２】図１に示した画像形成システム７００の構成の一部を示すブロック図である。
【図３】プリンタ１０を構成する主要構成要素を示した図である。
【図４】プリンタ１０の制御ユニット１００の構成を示したブロック図である。
【図５】除電ブラシ制御回路１３２の構成を示した概略図である。
【図６】媒体上にジェットマークが発生した様子を示した図である。
【図７】媒体と、転写部（二次転写ユニット８０）、定着部（定着ユニット８６）、及び、除電部（除電ブラシ８８）との位置関係を示した模式図である。
【図８】第一制御例を示したフローチャートである。
【図９】第二制御例を示したフローチャートである。
【図１０】第三制御例を示したフローチャートである。
【図１１】第四制御例を示したフローチャートである。
【図１２】第五制御例を示したフローチャートである。
【図１３】媒体の両面に画像を形成する機能を有するプリンタ１０の反転部２０２を示した図である。
【図１４】媒体上に放電痕が現れた様子を示した図である。
【符号の説明】
【０１１６】
１０  レーザビームプリンタ          ２０  感光体
３０  帯電ユニット                  ４０  露光ユニット
５０  ＹＭＣＫ現像ユニット          ５０ａ  中心軸
５１  ブラック現像装置              ５１ａ  現像装置側メモリ
５２  マゼンタ現像装置              ５２ａ  現像装置側メモリ
５３  シアン現像装置                ５３ａ  現像装置側メモリ
５４  イエロー現像装置              ５４ａ  現像装置側メモリ
５５ａ、５５ｂ、５５ｃ、５５ｄ  現像装置保持部
６０  一次転写ユニット              ６２  中間転写体
８０  二次転写ユニット              ８２  感光体クリーニングユニット
８４  感光体クリーニングブレード    ８６  定着ユニット
８６ａ  定着ローラ                  ８６ｂ  加圧ローラ
８８  除電ブラシ                    ８８ａ  接触部
８９  操作パネル                    ９０  センサ
９２  給紙トレイ                    ９３  媒体移動路
９４  給紙ローラ                    ９６  レジローラ
９７  排紙ローラ                    ９８  排紙トレイ
１００  制御ユニット                １０１  メインコントローラ
１０２  ユニットコントローラ        １１２  インターフェース
１１３  画像メモリ                  １２０  ＣＰＵ
１２２  露光ユニット制御回路        １２４  画素カウンタ
１３２  除電ブラシ制御回路          １３４  スイッチ
１３６  可変抵抗器                  １３８  接地線
１４１  シリアルインターフェイス    １４２  本体側メモリ
１４３  入出力ポート                ２０２  反転部
２０４  搬送駆動ローラ              ２０６  反転ローラ
２０８  複数媒体移動可能路          ２１０  レバー
７００  画像形成システム            ７０２  コンピュータ
７０４  表示装置                    ７０８  入力装置
７０８Ａ  キーボード                ７０８Ｂ  マウス
７１０  読取装置
７１０Ａ  フレキシブルディスクドライブ装置
７１０Ｂ  ＣＤ−ＲＯＭドライブ装置
７９５  アプリケーションプログラム
７９６  プリンタドライバ
７９７  画像処理部
８０１  表示インターフェース部
８０３  入力インターフェース部
８０５  ユーザインターフェース処理部
ＡＤ  画像データ
ＣＯＭ  制御信号
ＰＤ  画像データ
Ｐ１  第一媒体
Ｐ２  第二媒体
Ｔ  トナー 
【図１】
2006195268.tif 000003
【図２】
2006195268.tif 000004
【図３】
2006195268.tif 000005
【図４】
2006195268.tif 000006
【図５】
2006195268.tif 000007
【図７】
2006195268.tif 000008
【図８】
2006195268.tif 000009
【図９】
2006195268.tif 000010
【図１０】
2006195268.tif 000011
【図１１】
2006195268.tif 000012
【図１２】
2006195268.tif 000013
【図１３】
2006195268.tif 000014
【図６】
2006195268.tif 000015
【図１４】
2006195268.tif 000016